(57)【要約】【課題】壁掛け棚の組み合わせ装置の提供。【解決手段】壁掛け棚の組み合わせ装置は、壁に固定される骨格システム、複数の置物フレーム、複数の置物箱、複数の置放フレームからなる。骨格システムは、上横棒と下横棒、複数の単槽垂直柱、及び、複数の二槽垂直柱を組み合わせてなり、単槽垂直柱、及び、二槽垂直柱上に複数の長槽孔を有する。置物フレームと置放フレームは後方両側に、垂直柱の槽孔に挿入する湾曲部を有する。置放フレームの下面両側は更にトラックを設置し、トラックで置物箱を組み合わせる。骨格システムは、複数の側辺に凹槽を有するフレームからなり、後方両側は湾曲部を有する置物フレーム、吊りフレームと引き出し収納ユニットを設置し、湾曲部により、フレーム両側の凹槽から滑入して固定する。【選択図】    図１１
0003145814.tif 000002
【実用新案登録請求の範囲】
【請求項１】
壁掛け棚組み合わせ装置であって、
前面に複数の凸ブロックを結合する上横棒と、
前面に複数の下ブロックを結合する下横棒と、
両垂直本体間に複数の仕切りブロックを設置し、前記両垂直本体間で複数の長槽孔を仕切り出し、前記垂直本体の上端と下端は、それぞれ、相同方向に湾曲する湾曲部を有する複数の単槽垂直柱と、
三本の垂直柱本体を有し、相隣する二垂直柱本体間に複数の仕切りブロックを設置し、相隣する両垂直本体の間で複数の長槽孔を仕切りだすと共に、二列の複数に槽孔を構成し、前記垂直柱本体の上端と下端は、それぞれ、相同の方向に湾曲する湾曲部を有する複数の二槽垂直柱と、
後端両側にそれぞれ、湾曲部を形成し、相対する両側にそれぞれトラックを有する複数の置物フレームと、
上方の開口辺縁が、前記二トラック上で滑動する凸縁を設置する複数の置物箱と、
後端の両側にそれぞれ湾曲部を形成する複数の置放フレームと、
からなることを特徴とする壁掛け棚組み合わせ装置。
【請求項２】
前記トラック上面は複数のブロック体を設置し、前記ブロック体は前記置物フレームの下面両側に接触して釘で固定され、前記トラックと前記置物フレームの下面は距離を保持し、前記置物箱上の凸縁は、環周が封閉するフレーム体であることを特徴とする請求項１に記載の壁掛け棚組み合わせ装置。
【請求項３】
前記骨格システムは、複数のフレームからなり、前記のフレームの側辺は凹槽を設置し、前記フレームは、前記凹槽を貫通する洞孔を設置し、また、複数のトラックフレームと収納箱を含む引き出し収納ユニットを提供し、前記トラックの相対する両側は対称なスロットを有し、前記トラックの後方両側は湾曲部を有し、前記収納箱の上方開口周辺は、前記スロットで滑動するフレーム体を設置し、複数の置物フレームと複数の吊りフレームを提供し、前記置物フレームと前記吊りフレームの後端両側は、それぞれ、前記凹槽内で滑動する湾曲部を形成し、前記湾曲部は洞孔を有することを特徴とする請求項１に記載の壁掛け棚組み合わせ装置。
【考案の詳細な説明】
【技術分野】
【０００１】
本考案は、壁に装着し、物品の放置と収納を提供する壁掛け棚組み合わせ装置に関するものである。
【背景技術】
【０００２】
公知の物品を放置する置物フレーム、或いは、置物棚は一定の形式があるか、或いは、消費者が購買後、自身で組み立てる。しかし、どのような種類であっても、置物フレーム、或いは、置物棚は、直接地面上に放置する形式で、室内空間を占有する。よって、置物フレーム、或いは、棚を壁に装着する場合、公知のものは、職人により施工するが、施工期間に居住空間が汚れるばかりか、費用もかかる。
【考案の開示】
【考案が解決しようとする課題】
【０００３】
本考案の目的は、上述の問題を改善する壁掛け棚組み合わせ装置を提供することにある。
【課題を解決するための手段】
【０００４】
上述の目的を達成するため、本考案の壁掛け棚組み合わせ装置は、壁に固定される骨格システム、複数の置物フレーム、複数の置物箱、複数の置放フレームからなる。骨格システムは、上横棒と下横棒、複数の単槽垂直柱、及び、複数の二槽垂直柱を組み合わせてなり、単槽垂直柱、及び、二槽垂直柱上に複数の長槽孔を有する。置物フレームと置放フレームは後方両側に、垂直柱の槽孔に挿入する湾曲部を有する。置放フレームの下面両側は更にトラックを設置し、トラックで置物箱を組み合わせる。骨格システムは、複数の側辺に凹槽を有するフレームからなり、後方両側は湾曲部を有する置物フレーム、吊りフレームと引き出し収納ユニットを設置し、湾曲部により、フレーム両側の凹槽から滑入して固定する。    
【考案の効果】
【０００５】
壁掛け棚組み合わせ装置は、消費者は購入後、自身で、組み立てることができ、公知の装着装置が、置物フレーム、或いは、置物棚を壁に装着する時の面倒、居住空間の乱れ、経済負担を減少させることができる。
【考案を実施するための最良の形態】
【０００６】
本考案の壁掛け棚組み合わせ装置の第一実施例によると、骨格システム１（図１１）、複数の置物フレーム２（図７）、複数の置物箱３（図８）、及び、複数の置放フレーム４（図９）からなる。骨格システム１は、上横棒１１（図１）、下横棒（図２）、複数の単槽垂直柱（図３）と複数の二槽垂直柱（図４）を有する。図１で示されるように、上横棒１１は、木材により生成される細長い棒体で、前面は、適当な距離で分布する複数の上凸ブロック１１を設置する。図２で示されるように、下横棒１２は、木材により生成される細長い棒体で、その前面は、適当な距離で分布する複数の下凸ブロック１２１を設置する。図３で示されるように、単槽垂直柱１３は、木材により生成される二垂直柱本体１３１の間に、複数の仕切りブロック１３３を設置し、二垂直柱本体１３１の間は複数の長い槽孔を仕切り、垂直柱本体１３１の上端と下端は、それぞれ、相同の方向で湾曲する湾曲部１３２を形成する。図４で示されるように、二槽垂直柱１４は、木材からなる三本の垂直柱本体１４１を有し、相隣する垂直柱本体１４１の間に複数の仕切りブロック１４３を設置し、垂直柱本体１４１の間は複数の長い槽孔を仕切ると共に、二列の複数の長い槽孔を有する二槽垂直柱１４を構成し、垂直柱本体１４１の上端と下端は、それそれ、相同の方向で湾曲する湾曲部１４２を形成する。
【０００７】
骨格システム１の組み合わせ方式は、上横棒１１と下横棒１２をそれぞれ、壁上の適当な位置に固定し、上横棒１１の上凸ブロック１１１を単槽垂直柱１３上方の長槽孔内に挿入し、ねじ１１２により、垂直柱本体１３１側辺から上凸ブロック１１１を鎖入して固定する（図３）。或いは、上横棒１１の上凸ブロック１１１を二槽垂直柱１４上方の長槽孔内に挿入し、ねじ１１２により垂直柱本体１４１側辺から上凸ブロック１１１を鎖入して固定する（図４）。この他、下横棒１２の下凸ブロック１２１は単槽垂直柱１３下方の長槽孔内に挿入し、ねじにより垂直柱本体１３１側辺から上ブロック１１１を鎖入して固定する（図５）。或いは、下横棒１２の下凸ブロック１２１を二槽垂直柱１４下方の長槽孔内に挿入し、ねじにより、垂直柱本体１４１側辺から下凸ブロック１２１を鎖入して固定する。二槽垂直柱１４は主に、骨格システムの横長さを拡充する連接用となる。骨格システム１の組み合わせ後の形態は図１１で示される。
【０００８】
図７で示されるように、置物フレーム２は、フレーム体２１と複数の棒体２２を組み合わせてなり、後端両側は、それぞれ、湾曲部２４を形成する。置物フレーム２の相対する両側は、それぞれ、トラック２３を組み合わせる。トラック２３の構造は、板状体上に少なくとも二個のブロック体２３１を結合したもので、ブロック体２３１上端は置物フレーム２下面の両側に接触し、ねじにより、ブロック体２３１を置物フレーム２に鎖固し、トラック２３と置物フレーム２の下面は距離を維持する。
【０００９】
図８は、本考案の置物箱３を示す図で、上方の開口辺縁に、置物フレーム２の両トラック２３上で滑動する凸縁３１を設置し、凸縁３１は、環周が封閉するフレーム体である。置物箱３は、凸縁３１によりトラック２３に沿って滑動し、置物箱３を置物フレーム２下方に収納し、或いは、置物箱３を置物フレーム２下方から引き出す。
【００１０】
図９を参照すると、本考案の置放フレーム４は木材の棒からなり、後端両側に、それぞれ、湾曲部４１を形成する。
【００１１】
第一実施例において、置物フレーム２、或いは、置物フレーム４を骨格システム１に装着する時、置物フレーム２、及び、置放フレーム４の湾曲部２４、及び、４１が単槽垂直柱１３、或いは、二槽垂直柱１４の長槽孔に挿入し、その後、ねじにより、垂直柱本体１３１、或いは、１４１の側辺から湾曲部２４、及び４１を鎖入して固定する（図１０と図１１で示される）。置物フレーム２下方がトラック２３を設置する時、更に、置物フレーム３をトラック２３に滑動可能なように組み合わせる（図１２）。
【００１２】
図１７は、本考案の第二実施例を示し、骨格システムは、複数のフレーム８からなり、このほか、更に、引き出し収納ユニット５、複数の置物フレーム６と複数の吊りフレーム７からなる。フレーム８は、前後に平行に設置された二垂直柱本体の間に複数の仕切りブロックを設置し、二垂直柱本体の間に、複数の両側に位置する凹槽８１を仕切り出し、二垂直柱本体に複数の凹槽８１を貫通する洞孔８２を設置する。フレーム８は、予め壁に固定される。
【００１３】
図１３で示されるように、引き出し収納ユニット５は、トラックフレーム５１と収納箱５３を有し、トラックフレーム５１の相対両側に対称なスロット５１１を設置する。トラックフレーム５１後方は、連接棒５２により連接され、トラックフレーム５１の後方両側は湾曲部５１２を設置する。各湾曲部５１２の適当な位置に、洞孔を有する。収納箱５３の上方開口周辺は、スロット５１１で滑動するフレーム体５３１を設置し、収納箱５３はトラックフレーム５１内に滑入する（図１４で示される）か、或いは、収納箱５３からトラックフレーム５１を引き出すことができる。
【００１４】
置物フレーム６（図１５）は木材を組み合わせてなり、後端両側は、それぞれ、フレーム８の凹槽８１内で滑動する湾曲部６１を形成する。各湾曲部６１の適当な位置に洞孔を有する。
【００１５】
吊りフレーム７（図１６）は木材を組み合わせてなり、後端両側は、それぞれ、フレーム８の凹槽８１内で滑動する湾曲部７１を形成する。各湾曲部７１の適当な位置に洞孔を有する。
【００１６】
トラックフレーム５、置物フレーム６と吊りフレーム７をフレーム８に組み合わせる方式は、湾曲部をフレーム８の凹槽８１に滑入後、木ねじ８３によりフレーム８前面の洞孔８２から湾曲部の洞孔に鎖入して固定し、組み合わせ後の構造は、図１７で示される。
【図面の簡単な説明】
【００１７】
【図１】本考案の上横棒構造の立体図である。
【図２】本考案の下横棒構造の立体図である。
【図３】本考案の上横棒と単槽垂直柱の組み合わせ局部立体図である。
【図４】本考案の上横棒と二槽垂直柱の組み合わせ局部立体図である。
【図５】本考案の下横棒と単槽垂直柱の組み合わせ局部立体図である。
【図６】本考案の下横棒と二槽垂直柱の組み合わせ局部立体図である。
【図７】本考案の置物フレームとトラックを組み合わせた実施例の立体分解図である。
【図８】本考案の置物フレームと置物箱を組み合わせた実施例の立体分解図である。
【図９】本考案の置物フレーム構造の立体図である。
【図１０】本考案の置物フレームを二単槽垂直柱間に組み合わせた実施例の立体図である。
【図１１】本考案の上横棒、下横棒、単槽垂直柱と二槽垂直柱をフレームに組み立てた後、フレームが複数の置物フレームと置放フレームを組み合わせた実施例の立体図である。
【図１２】本考案の図１１のフレーム上に更に置物フレームを組み合わせた実施例の立体図である。
【図１３】本考案の引き出し収納ユニットの素子組み合わせ関係を示す立体分解図である。
【図１４】本考案の引き出し収納ユニットの素子組み合わせ後の立体図である。
【図１５】本考案のもう一つの置物フレームの実施例構造の立体図である。
【図１６】本考案の吊りフレームの実施例構造の立体図である。
【図１７】本考案のフレームと複数の置物フレーム、吊りフレームと引き出し収納ユニットの実施例の立体図である。
【符号の説明】
【００１８】
1……骨格システム
11……上横棒
111……上凸ブロック
112……ねじ
12……下横棒
121……下凸ブロック
13……単槽垂直柱
131……垂直柱本体
132……湾曲部
133……仕切りブロック
14……二槽垂直柱
141……垂直柱本体
142……湾曲部
143……仕切りブロック
2……置物フレーム
21……フレーム体
22……棒
23……トラック
231……ブロック体
24……湾曲部
3……置物箱
31……凸縁
4……置放フレーム
41……湾曲部
5……引き出し收納ユニット
51……トラックフレーム
511……スロット
512……湾曲部
52……連接棒
53……收納箱
531……フレーム体
6……置物フレーム
61……湾曲部
7……吊りフレーム
71……湾曲部
8……フレーム
81……凹槽
82……洞孔
83……木ねじ
【図１】
0003145814.tif 000003
【図２】
0003145814.tif 000004
【図３】
0003145814.tif 000005
【図４】
0003145814.tif 000006
【図５】
0003145814.tif 000007
【図６】
0003145814.tif 000008
【図７】
0003145814.tif 000009
【図８】
0003145814.tif 000010
【図９】
0003145814.tif 000011
【図１０】
0003145814.tif 000012
【図１１】
0003145814.tif 000013
【図１２】
0003145814.tif 000014
【図１３】
0003145814.tif 000015
【図１４】
0003145814.tif 000016
【図１５】
0003145814.tif 000017
【図１６】
0003145814.tif 000018
【図１７】
0003145814.tif 000019